(57)【要約】【課題】換気棟包み部材を使用した棟換気システムを弊害なく採用することができるようにした緑化勾配屋根を提供する。【解決手段】棟を挟んだ一方の勾配屋根部１に、成長しても大きく伸び出ることのない苔使用の植栽屋根材４・・を葺設し、他方の勾配屋根部２に、一般屋根材５・・を葺設するとともに、棟に沿って換気口６１・・を有する換気棟包み部材７・・を設ける。そして、第１遮蔽部材８０・・及び第２遮蔽部材９０・・によって遮蔽された換気棟包み部材７・・の内側空間Ｓに、換気口６１・・と小屋裏空間５８とを連通する換気路１００を形成する。【選択図】図１０
2010053537.tif 000002
【特許請求の範囲】
【請求項１】
棟を挟んだ一方の勾配屋根部（１）に、鋼板下地材（２０）の上面に苔マット（２１）・・を取り付けてなる植栽屋根材（４）・・を葺設し、他方の勾配屋根部（２）に、前記植栽屋根材（４）・・若しくは一般屋根材（５）・・を葺設するとともに、前記棟に沿って換気口（６１）・・を有する換気棟包み部材（７）・・を設け、前記一方の勾配屋根部（１）側の棟近傍に位置する前記植栽屋根材（４）・・と前記換気棟包み部材（７）・・との間の隙間に、第１遮蔽部材（８０）・・を介装するとともに、前記他方の勾配屋根部（２）側の棟近傍に位置する前記植栽屋根材（４）・・若しくは一般屋根材（５）・・と前記換気棟包み部材（７）・・との間の隙間に、第２遮蔽部材（９０）・・を介装して、これら第１遮蔽部材（８０）・・及び第２遮蔽部材（９０）・・によって遮蔽された前記換気棟包み部材（７）・・の内側空間（Ｓ）に、前記換気口（６１）・・と小屋裏空間（５８）とを連通する換気路（１００）を形成したことを特徴とする緑化勾配屋根。
【請求項２】
棟を挟んだ一方の勾配屋根部（１）に、鋼板下地材（２０）の上面に苔マット（２１）・・を取り付けてなる植栽屋根材（４）・・を葺設し、他方の勾配屋根部（２）に、一般屋根材（５）・・を葺設するとともに、前記棟に沿って換気口（６１）・・を有する換気棟包み部材（７）・・を設け、前記一方の勾配屋根部（１）側の棟近傍に位置する前記植栽屋根材（４）・・と前記換気棟包み部材（７）・・との間の隙間に、前記鋼板下地材（２０）の軒端部（２２）側と略同形状の第１遮蔽部材（８０）・・を介装するとともに、前記他方の勾配屋根部（２）側の棟近傍に位置する前記一般屋根材（５）・・と前記換気棟包み部材（７）・・との間の隙間に、前記一般屋根材（５）の軒端部（５１）側と略同形状の第２遮蔽部材（９０）・・を介装して、これら第１遮蔽部材（８０）・・及び第２遮蔽部材（９０）・・によって遮蔽された前記換気棟包み部材（７）・・の内側空間（Ｓ）に、前記換気口（６１）・・と小屋裏空間（５８）とを連通する換気路（１００）を形成したことを特徴とする緑化勾配屋根。
【請求項３】
前記一方の勾配屋根部（１）に、前記第１遮蔽部材（８０）・・を下支えする第１桟材（８４）を固定するとともに、前記他方の勾配屋根部（２）に、前記第２遮蔽部材（９０）・・を下支えする第２桟材（９３）を固定して、これら第１及び第２桟材（８４）（９３）の高さを調節することで、前記第１及び第２遮蔽部材（８０）（９０）・・の高さ位置を設定した請求項２記載の緑化勾配屋根。
【請求項４】
前記一方の勾配屋根部（１）において、軒側に位置する前記植栽屋根材（４）・・の鋼板下地材（２０）・・の棟端部（２３）・・に、棟側に位置する前記植栽屋根材（４）・・の鋼板下地材（２０）・・の軒端部（２２）・・を係合しながら、複数の前記植栽屋根材（４）・・を勾配方向に沿って葺設して、前記第１遮蔽部材（８０）・・を、その軒端部（８１）・・を棟近傍に位置する前記植栽屋根材（４）・・の棟端部（２３）・・に係合するとともに、その棟端部（８２）・・を前記換気棟包み部材（７）・・の内側に差し入れるようにして取り付け、前記他方の勾配屋根部（２）において、軒側に位置する前記一般屋根材（５）・・の棟端部（５０）・・に、棟側に位置する前記一般屋根材（５）・・の軒端部（５１）・・を被せながら、複数の前記一般屋根材（５）・・を勾配方向に沿って葺設して、前記第２遮蔽部材（９０）・・を、その軒端部（９１）・・を棟近傍に位置する前記一般屋根材（５）・・の棟端部（５０）・・に被せるとともに、その棟端部（９２）・・を前記換気棟包み部材（７）・・の内側に差し入れるようにして取り付けた請求項２又は３記載の緑化勾配屋根。
【発明の詳細な説明】
【技術分野】
【０００１】
この発明は、植栽を施して緑化した切妻屋根や寄棟屋根等の勾配屋根に関する。
【背景技術】
【０００２】
近年、都市部においては、建物自体や街並みの美観向上、居住者や近隣への癒し効果、建物内の温度環境の改善、ＣＯ２の削減やヒートアイランド現象の緩和等を目的として、建物の緑化対策が進められている。
【０００３】
この建物の緑化対策としては、建物の屋上面において植物を植栽した屋上緑化、建物の外壁面において植物を植栽した壁面緑化が一般的であり、また戸建て住宅の切妻屋根や寄棟屋根等の勾配屋根において、植栽を施して緑化したものも見受けられる（例えば、特許文献１参照）。
【特許文献１】特開２００２−３６４１３７号公報
【発明の開示】
【発明が解決しようとする課題】
【０００４】
従来より、戸建て住宅の勾配屋根として、小屋裏の自然換気を可能とした棟換気システムを採用したものがある。この種の棟換気システムでは、棟に沿って設けた換気口を有する換気棟包み部材によって、小屋裏空間を開放する野地板間の棟部開口を覆うようにして、換気棟包み部材の内側空間において、換気口と小屋裏空間とを連通する換気路を確保している。
【０００５】
ところが、上記のような植栽を施した緑化勾配屋根に対して、棟換気システムを採用した場合、特に屋根全体に亘って植物が植え付けられていると、棟付近に位置する植物が成長することによって、換気口や換気路が塞がれて換気効率が低下するといった不具合が生じてしまう。このため、棟付近を避けるようにして植栽を施したり、植物の成長時期にはメンテナンスを頻繁に行うといった対策が必要となり、これらのことから、緑化勾配屋根においては、棟換気システムの採用に踏み切れていないのが現状である。
【０００６】
また、勾配屋根の緑化に際しては、屋根全体を緑化するだけでなく、例えば特許文献１にも開示されているように、日差しがきつくて厳しい環境下におかれる南側の勾配屋根部については緑化せずに、北側の勾配屋根部のみを緑化するといったことが行われている。このように、棟を挟んだ一方の勾配屋根部と他方の勾配屋根部の仕様を異ならせた場合、これら屋根面の高さが異なってしまうことから、棟に沿って棟包み部材を設けるにあたって、屋根面の高さの違いに配慮する必要があり、施工が煩雑になったり、見栄えが悪くなるといった不具合があった。
【０００７】
この発明は、上記不具合を解消して、換気口を有する換気棟包み部材を使用した棟換気システムを弊害なく採用することができ、また棟を挟んだ一方の勾配屋根部を緑化して、他方の勾配屋根部を緑化しないようにしても、棟納まりを工夫することで施工性及び意匠性の向上を図ることができるようにした緑化勾配屋根の提供を目的とする。
【課題を解決するための手段】
【０００８】
上記課題を解決するため、この発明の緑化勾配屋根は、棟を挟んだ一方の勾配屋根部１に、鋼板下地材２０の上面に苔マット２１・・を取り付けてなる植栽屋根材４・・を葺設し、他方の勾配屋根部２に、前記植栽屋根材４・・若しくは一般屋根材５・・を葺設するとともに、前記棟に沿って換気口６１・・を有する換気棟包み部材７・・を設け、前記一方の勾配屋根部１側の棟近傍に位置する前記植栽屋根材４・・と前記換気棟包み部材７・・との間の隙間に、第１遮蔽部材８０・・を介装するとともに、前記他方の勾配屋根部２側の棟近傍に位置する前記植栽屋根材４・・若しくは一般屋根材５・・と前記換気棟包み部材７・・との間の隙間に、第２遮蔽部材９０・・を介装して、これら第１遮蔽部材８０・・及び第２遮蔽部材９０・・によって遮蔽された前記換気棟包み部材７・・の内側空間Ｓに、前記換気口６１・・と小屋裏空間５８とを連通する換気路１００を形成したことを特徴とする。
【０００９】
具体的には、棟を挟んだ一方の勾配屋根部１に、鋼板下地材２０の上面に苔マット２１・・を取り付けてなる植栽屋根材４・・を葺設し、他方の勾配屋根部２に、一般屋根材５・・を葺設するとともに、前記棟に沿って換気口６１・・を有する換気棟包み部材７・・を設け、前記一方の勾配屋根部１側の棟近傍に位置する前記植栽屋根材４・・と前記換気棟包み部材７・・との間の隙間に、前記鋼板下地材２０の軒端部２２側と略同形状の第１遮蔽部材８０・・を介装するとともに、前記他方の勾配屋根部２側の棟近傍に位置する前記一般屋根材５・・と前記換気棟包み部材７・・との間の隙間に、前記一般屋根材５の軒端部５１側と略同形状の第２遮蔽部材９０・・を介装して、これら第１遮蔽部材８０・・及び第２遮蔽部材９０・・によって遮蔽された前記換気棟包み部材７・・の内側空間Ｓに、前記換気口６１・・と小屋裏空間５８とを連通する換気路１００を形成している。
【００１０】
また、前記一方の勾配屋根部１に、前記第１遮蔽部材８０・・を下支えする第１桟材８４を固定するとともに、前記他方の勾配屋根部２に、前記第２遮蔽部材９０・・を下支えする第２桟材９３を固定して、これら第１及び第２桟材８４、９３の高さを調節することで、前記第１及び第２遮蔽部材８０、９０・・の高さ位置を設定している。
【００１１】
さらに、前記一方の勾配屋根部１において、軒側に位置する前記植栽屋根材４・・の鋼板下地材２０・・の棟端部２３・・に、棟側に位置する前記植栽屋根材４・・の鋼板下地材２０・・の軒端部２２・・を係合しながら、複数の前記植栽屋根材４・・を勾配方向に沿って葺設して、前記第１遮蔽部材８０・・を、その軒端部８１・・を棟近傍に位置する前記植栽屋根材４・・の棟端部２３・・に係合するとともに、その棟端部８２・・を前記換気棟包み部材７・・の内側に差し入れるようにして取り付け、前記他方の勾配屋根部２において、軒側に位置する前記一般屋根材５・・の棟端部５０・・に、棟側に位置する前記一般屋根材５・・の軒端部５１・・を被せながら、複数の前記一般屋根材５・・を勾配方向に沿って葺設して、前記第２遮蔽部材９０・・を、その軒端部９１・・を棟近傍に位置する前記一般屋根材５・・の棟端部５０・・に被せるとともに、その棟端部９２・・を前記換気棟包み部材７・・の内側に差し入れるようにして取り付けている。
【発明の効果】
【００１２】
この発明の緑化勾配屋根においては、成長しても大きく伸び出ることのない苔を使用して緑化がなされており、しかも第１及び第２遮蔽部材によって遮蔽された換気棟包み部材の内側空間において、換気口と小屋裏空間とを連通する換気路がしっかりと確保されているので、勾配屋根部の略全体に亘って緑化がなされていても、従来のように植物の成長によって換気口や換気路が塞がれることがなく、換気棟包み部材を用いた棟換気システムを弊害なく採用することができる。
【００１３】
また、棟を挟んだ一方の勾配屋根部と他方の勾配屋根部の仕様を異ならせていても、これら勾配屋根部の屋根面の高さの違いを第１及び第２遮蔽部材によって吸収して、換気棟包み部材として、特殊な形状のものを用いることなく、左右対称の一般的な形状のものを用いて簡単に施工することができる。
【００１４】
しかも、棟を挟んだ一方の勾配屋根部に植栽屋根材を葺設し、他方の勾配屋根部に一般屋根材を葺設した場合において、第１遮蔽部材として、植栽屋根材の鋼板下地材の軒端部側と略同形状に形成されたものを使用し、第２遮蔽部材として、一般屋根材の軒端部側と略同形状に形成されたものを使用すると、これら第１及び第２遮蔽部材として特別に設計された専用部材を用意することなく部品点数の削減を図ることができ、さらに第１及び第２遮蔽部材を植栽屋根材や一般屋根材と同様に違和感なく施工して、見栄えを良好にすることができる。
【００１５】
加えて、勾配屋根部に固定した第１及び第２桟材の高さを調節して、これら第１及び第２桟材によって下支えした第１及び第２遮蔽部材の高さ位置を設定しているので、第１及び第２遮蔽部材の高さ位置の設定作業を同様に行うことができ、さらに第１及び第２遮蔽部材の高さ位置設定のための部材の共通化を図ることができる。
【発明を実施するための最良の形態】
【００１６】
以下、この発明の実施形態を図面に基づいて詳細に説明する。この発明の一実施形態に係る緑化勾配屋根は、図１及び図２に示すように、切妻屋根であって、その棟を挟んだ一方（北側）の勾配屋根部１が緑化されていて、他方（南側）の勾配屋根部２は緑化されることなく太陽光発電のために利用されており、両屋根部１、２の仕様が異なっている。
【００１７】
一方の勾配屋根部１においては、その屋根下地面３の略全面に亘って複数の植栽屋根材４・・が葺設されている。なお、勾配屋根部１における屋根下地面３は、図３に示すように、野地板１０上にアスファルトルーフィング１１及びルーフテープ１２を敷設することによって構成された防水面となっている。
【００１８】
植栽屋根材４は、図４及び図５に示すように、鋼板下地材２０の上面に苔マット２１・・を取り付けることによって構成されている。苔は、空気中から水分や養分を摂取して生育するため、生育に際して土壌が不要であり、また水分が供給されない状態では仮死状態となり、雨水等が供給されると即座に再生するといったように乾燥に強い特性を有している。しかも、成長しても芝や蔓性植物のように大きく伸び出ることがない。このため、苔を使用した緑化においては、現場施工の省力化、屋根荷重の軽量化を図ることができるとともに、灌水、施肥、刈り込み等の施工後のメンテナンスをほとんど不要とすることができる。
【００１９】
鋼板下地材２０は、軽量な鋼板を折曲形成してなり、軒側に位置する植栽屋根材４の鋼板下地材２０に係合するための軒端部２２と、棟側に位置する植栽屋根材４の鋼板下地材２０に係合するための棟端部２３と、これら軒端部２２と棟端部２３を連結する苔マット設置部２４とを備えている。
【００２０】
苔マット設置部２４は、軒側先端が下向きにやや湾曲した略平板状に形成されていて、その勾配方向に沿った両側端においては側壁等が立ち上がっておらず開放した状態となっている。この苔マット設置部２４の裏面には、例えば合成樹脂製の発泡体からなる厚肉の断熱材２５が取り付けられている。この断熱材２５は、鋼板下地材２０を屋根下地面３上に設置したときに、屋根下地面３と苔マット設置部２４の裏面との間の隙間を埋めるような形状となっている。
【００２１】
また、軒端部２２は、苔マット設置部２４の軒側先端から下向きに延びる垂下片２６と、この垂下片２６の下端を棟側に折り返してなる係合片２７とを備えている。棟端部２３は、苔マット設置部２４の棟側先端から棟側に延びる軒側開放の略Ｕ字形の係合溝片２８と、この係合溝片２８の先端を棟側に折り返してなる略Ｚ字形の固定片２９とを備えている。
【００２２】
苔マット２１は、例えば合成樹脂製の複数の線材を絡み合わせた網状体の空隙部分に紙や不織布等の苔定着材を充填してなる基盤部３０と、この基盤部３０に例えばスナゴケやハイゴケ等を植え付けてなる苔部３１とからなる。なお、苔マット２１としては、このような構造のものだけに限定されるものではなく、苔を植え付けたマット状のものであればどのような構造のものであっても良い。
【００２３】
このような苔マット２１・・は、鋼板下地材２０の苔マット設置部２４の略全面を覆うように、苔マット設置部２４上に横並びに設置され、その軒端部が鋼板下地材２０の軒端部２２に沿ってリベット３９・・止めした止付具４０によって保持された状態で、複数の固定リベット４１・・によって鋼板下地材２０の苔マット設置部２４の上面に固定されていて、例えば強風や激しい降雨、施工時やメンテナンス時の踏み付け等によって、苔マット２１・・がずれ動いて局部的に盛り上がったり、部分的にめくれ上がるといった不具合を防止している。
【００２４】
なお、鋼板下地材２０への苔マット２１・・の設置は、基本的には予め工場等で済ませておくが、現場施工に際しての足場の確保等から、勾配屋根部１の要所要所に設けられる植栽屋根材４・・においては、現場で設置することもある。
【００２５】
上記の植栽屋根材４・・の施工に際しては、植栽屋根材４・・の苔マット２１・・の勾配方向に沿った側端面同士を、互いに当接若しくは僅かな隙間をあけて対向配置させながら、植栽屋根材４・・を桁行方向に沿って葺設するとともに、軒側に位置する植栽屋根材４・・の鋼板下地材２０・・における棟端部２３・・の係合溝片２８・・に、棟側に位置する植栽屋根材４・・の鋼板下地材２０・・における軒端部２２・・の係合片２７・・を係合しながら、軒側から棟側に向かって植栽屋根材４・・を勾配方向に葺設している（図３参照）。なお、各植栽屋根材４・・の鋼板下地材２０・・における棟端部２３・・の固定片２９・・を、屋根下地面３にビス４５・・止めすることによって、各植栽屋根材４・・が屋根下地面３に固定されている。
【００２６】
他方の勾配屋根部２においては、その屋根下地面３の略全面に亘って複数の一般屋根材５・・と複数の太陽電池一体型屋根材６・・とが組み合わされて葺設されている。なお、勾配屋根部２における屋根下地面３は、一方の勾配屋根部１の屋根下地面３と同様に構成された防水面となっている。
【００２７】
一般屋根材５は、例えば粘土系の平板瓦であり、太陽電池一体型屋根材６は、例えば方形枠状のフレームに太陽電池モジュールを嵌め込んで構成されている。そして、勾配屋根部２の外周部分に一般屋根材５・・が設置されて、これら一般屋根材５・・の内側において太陽電池一体型屋根材６・・が設置されている。
【００２８】
上記の一般屋根材５・・及び太陽電池一体型屋根材６・・の施工に際しては、これら屋根材５、６・・の勾配方向に沿った側端部同士を互いに係合させながら、これら屋根材５、６・・を桁行方向に沿って葺設するとともに、軒側に位置する屋根材５、６・・の棟端部５０・・に、棟側に位置する屋根材５、６・・の軒端部５１・・を被せながら、軒側から棟側に向かってこれら屋根材５、６・・を勾配方向に葺設している（図６参照）。なお、各屋根材５、６・・の棟端部５０・・を、屋根下地面３に固定した横桟５４に引っ掛けながらビス５５・・止めすることによって、各屋根材５、６・・が屋根下地面３に固定されている。
【００２９】
そして、このようにして構成された緑化勾配屋根には、図７及び図８に示すように、棟に沿って換気棟包み部材７・・が取付部材７０を介して設けられていて、勾配屋根部１、２の野地板１０、１０の棟端部間に確保された小屋裏空間５８を開放する棟部開口５９、及び、勾配屋根部１、２の棟側端部を覆っている。
【００３０】
換気棟包み部材７は、例えばアルミニウム製で、図９及び図１０に示すように、断面略山形に形成されていて、その頂部を挟んだ左右の傾斜片６０、６０には、複数のスリット状の換気口６１・・が夫々形成されている。また、換気棟包み部材７の内面側には、換気口６１・・を避けるようにして断熱材６２が夫々貼り付けられている。
【００３１】
取付部材７０は、勾配屋根部１、２の野地板１０、１０の棟端部間に跨って、棟方向に間隔をあけて取り付けた固定金具７１・・と、これら固定金具７１・・の頂部に夫々ねじ込まれた縦ボルト７２・・と、これら縦ボルト７２・・の先端部に夫々固定された支持金具７３・・と、これら支持金具７３・・の縦ボルト７２・・を挟んだ両端部下面間に跨って、棟方向に連続するように夫々取り付けた下地板７４・・と、これら下地板７４・・の上面に棟方向に連続するように夫々取り付けた捨て水切り材７５・・と、これら捨て水切り材７５・・に被せるようにして、棟方向に間隔をあけて取り付けた取付金具７６・・とを備えている。そして、換気棟包み部材７は、その両端部を取付金具７６・・の両端部に係合させながら、取付金具７６・・に跨るようにして被せることで、棟方向に連続した状態で取り付けられている。
【００３２】
このように、棟を挟んだ勾配屋根部１、２に異種の屋根材を夫々葺設した緑化勾配屋根に対して、その棟に沿って左右対称の換気棟包み部材７・・を設けると、植栽屋根材４・・と一般屋根材５・・の厚み及び形状の違いによって、一方の勾配屋根部１側の棟近傍に位置する植栽屋根材４・・の棟端部２３・・と換気棟包み部材７・・との間、及び、他方の勾配屋根部２側の棟近傍に位置する一般屋根材５・・の棟端部５０・・と換気棟包み部材７・・との間に、夫々異なる大きさの隙間が生じることになる。
【００３３】
そこで、一方の勾配屋根部１側の棟近傍に位置する植栽屋根材４・・の棟端部２３・・と換気棟包み部材７・・との間の隙間に、第１遮蔽部材８０・・を棟方向に連続するようにして介装するとともに、他方の勾配屋根部２側の棟近傍に位置する一般屋根材５・・の棟端部５０・・と換気棟包み部材７・・との間の隙間に、第２遮蔽部材９０・・を棟方向に連続するようにして介装している。
【００３４】
第１遮蔽部材８０としては、植栽屋根材４の鋼板下地材２０の棟端部２３を切り落としてなる鋼板下地材２０の端材が利用されており、鋼板下地材２０の軒端部２２側と略同形状に形成されている。第２遮蔽部材９０としては、のし瓦が利用されており、一般屋根材５の軒端部５１側と略同形状に形成されている。
【００３５】
第１遮蔽部材８０・・は、その軒端部８１・・を棟近傍に位置する植栽屋根材４・・の棟端部２３・・に係合するとともに、その棟端部８２・・を換気棟包み部材７・・の内側に差し入れた状態で、一方の勾配屋根部１に固定した第１桟材８４によって下支えされ、さらに下地板７４・・によって押さえ付けられて取り付けられている。
【００３６】
第１桟材８４は、樹脂製瓦桟８５・・を段積みしてなり、その高さすなわち積み上げ個数を調節する（具体的には３段積みにする）ことで、第１遮蔽部材８０・・が下地板７４・・に当接するように、第１遮蔽部材８０・・の高さ位置（傾き角度）を設定している。なお、第１遮蔽部材８０・・は、植栽屋根材４・・の棟端部２３・・に係合した軒端部８１・・が弾性変形することで、軒端部８１・・を支点として揺動可能となっているので、植栽屋根材４・・に係合させながら簡単に高さ位置（傾き角度）の設定を行うことができる。
【００３７】
また、第１遮蔽部材８０・・の上面に取り付けた例えば樹脂発泡体からなる水密材８６・・を、下地板７４・・の下面及び捨て水切り材７５・・に取り付けた例えば樹脂発泡体からなる水密材８７・・に押し付けることで、一方の勾配屋根部１の屋根面に沿って吹き上げられる雨水を遮断して、棟部分への雨水の浸入を防止している。
【００３８】
第２遮蔽部材９０・・は、その軒端部９１・・を棟近傍に位置する一般屋根材５・・の棟端部５０に被せるとともに、その棟端部９２・・を換気棟包み部材７・・の内側に差し入れた状態で、他方の勾配屋根部２に固定した第２桟材９３によって下支えされて取り付けられている。なお、第２遮蔽部材９０・・は、第２桟材９３にビス９４止めされている。
【００３９】
第２桟材９３は、樹脂製瓦桟９５・・を段積みしてなり、その高さすなわち積み上げ個数を調節する（具体的には２段積みにする）ことで、第２遮蔽部材９０・・が下地板７４・・に近接しながら沿うように、第２遮蔽部材９０・・の高さ位置（傾き角度）を設定している。
【００４０】
また、第２遮蔽部材９０・・の上面を、下地板７４・・の下面に取り付けた例えば樹脂発泡体からなる水密材９６・・及び捨て水切り材７５・・に取り付けた例えば樹脂発泡体からなる水密材９７・・に押し付けることで、他方の勾配屋根部２の屋根面に沿って吹き上げられる雨水を遮断して、棟部分への雨水の浸入を防止している。
【００４１】
そして、第１遮蔽部材８０・・及び第２遮蔽部材９０・・によって遮蔽された換気棟包み部材７・・の内側空間Ｓには、換気口６１・・と小屋裏空間５８とを連通する換気路１００が形成されている。この換気路１００は、小屋裏空間５８から棟部開口５９、取付部材７０の各部材間の隙間を通って換気口６１・・に至っており、これにより小屋裏の自然換気が可能となっている。
【００４２】
このように、上記構成の緑化勾配屋根においては、成長しても大きく伸び出ることのない苔を使用して緑化がなされており、しかも第１及び第２遮蔽部材８０、９０・・によって遮蔽された換気棟包み部材７・・の内側空間Ｓにおいて、換気口６１・・と小屋裏空間５８とを連通する換気路１００がしっかりと確保されているので、勾配屋根部１の略全体に亘って緑化がなされていても、従来のように植物の成長によって換気口や換気路が塞がれることがなく、換気棟包み部材７・・を用いた棟換気システムを弊害なく採用することができる。
【００４３】
また、棟を挟んだ一方の勾配屋根部１の略全体に亘って植栽屋根材４・・を葺設し、他方の勾配屋根部２の略全体に亘って一般屋根材５・・と太陽電池一体型屋根材６・・とを組み合わせて葺設することで、一方の勾配屋根部１と他方の勾配屋根部２の仕様を異ならせているにもかかわらず、これら屋根面の高さの違いを第１及び第２遮蔽部材８０、９０・・によって吸収して、換気棟包み部材７・・として、特殊な形状のものを用いることなく、左右対称の一般的な形状のものを用いて簡単に施工することができる。
【００４４】
しかも、第１遮蔽部材８０・・として、植栽屋根材４の鋼板下地材２０の軒端部２２側と略同形状に形成されている鋼板下地材２０の端材を用い、第２遮蔽部材９０・・として、一般屋根材５の軒端部５１側と略同形状に形成されているのし瓦を用いていることから、これら遮蔽部材８０、９０・・として特別に設計された専用部材を用意することなく部品点数の削減を図ることができ、さらに遮蔽部材８０、９０・・を植栽屋根材４・・や一般屋根材５・・と同様に施工することができ、さらにまた遮蔽部材８０、９０・・を植栽屋根材４・・や一般屋根材５・・に対して違和感なく設けて見栄えを良好にすることができる。
【００４５】
加えて、勾配屋根部１、２に固定した第１及び第２桟材８４、９３の高さを調節して、これら桟材８４、９３によって下支えした遮蔽部材８０、９０・・の高さ位置（傾き角度）を設定しているので、遮蔽部材８０、９０・・の高さ位置の設定作業を同様に行うことができ、さらに遮蔽部材８０、９０・・の高さ位置設定のための部材の共通化を図ることができる。
【００４６】
この発明は、上記実施形態に限定されるものではなく、この発明の範囲内で上記実施形態に多くの修正及び変更を加え得ることは勿論である。例えば、この発明の緑化勾配屋根は、切妻屋根に限られるものではなく、例えば寄棟屋根であっても良い。
【図面の簡単な説明】
【００４７】
【図１】この発明の一実施形態に係る緑化勾配屋根の斜視図である。
【図２】緑化勾配屋根の平面図である。
【図３】一方の勾配屋根部における植栽屋根材の葺設状態を示す縦断面図である。
【図４】植栽屋根材の分解斜視図である。
【図５】植栽屋根材の斜視図である。
【図６】他方の勾配屋根部における一般屋根材及び太陽電池一体型屋根材の葺設状態を示す縦断面図である。
【図７】棟付近の縦断面図である。
【図８】棟付近の分解斜視図である。
【図９】棟付近を分解して示す拡大縦断面図である。
【図１０】棟付近の拡大縦断面図である。
【符号の説明】
【００４８】
１・・一方の勾配屋根部、２・・他方の勾配屋根部、４・・植栽屋根材、５・・一般屋根材、７・・換気棟包み部材、２０・・鋼板下地材、２１・・苔マット、２２・・鋼板下地材の軒端部、２３・・鋼板下地材の棟端部、５０・・一般屋根材の棟端部、５１・・一般屋根材の軒端部、５８・・小屋裏空間、６１・・換気口、８０・・第１遮蔽部材、８１・・第１遮蔽部材の軒端部、８２・・第１遮蔽部材の棟端部、８４・・第１桟材、９０・・第２遮蔽部材、９１・・第２遮蔽部材の軒端部、９２・・第２遮蔽部材の棟端部、９３・・第２桟材、１００・・換気路、Ｓ・・内側空間
【図１】
2010053537.tif 000003
【図２】
2010053537.tif 000004
【図３】
2010053537.tif 000005
【図４】
2010053537.tif 000006
【図５】
2010053537.tif 000007
【図６】
2010053537.tif 000008
【図７】
2010053537.tif 000009
【図８】
2010053537.tif 000010
【図９】
2010053537.tif 000011
【図１０】
2010053537.tif 000012